(57)【要約】      （修正有）【課題】水蒸気と二酸化塩素の両方を発生させることができる除菌機能を有する加湿器を提供する。【解決手段】二酸化塩素発生源４を着脱自在に装着可能な装着部４Ｓと、水を収容する第１水収容部１０と、水から水蒸気を発生させる水蒸気発生部とを備えた下側本体部１と、この下側本体部１の上部に着脱自在に設置される上側本体部２と、を備え、この上側本体部２には、水を収容する第２収容部２２と、上側本体部２を下側本体部１に設置したときに、第２水収容部２２から第１水収容部１０への水の移動を許容する開閉弁と、水蒸気発生部により発生した水蒸気を第１開口部へ向けて案内する第１案内通路２０と、二酸化塩素発生源４により発生した二酸化塩素ガスを第２開口部へ案内する第２案内通路２１と、を備えた。【選択図】図６
0003202226.tif 000002
【実用新案登録請求の範囲】
【請求項１】
二酸化塩素発生源を着脱自在に装着可能な装着部と、水を収容する第１水収容部と、水から水蒸気を発生させる水蒸気発生部とを備えた下側本体部と、
この下側本体部の上部に着脱自在に設置される上側本体部と、を備え、
この上側本体部には、水を収容する第２収容部と、
上側本体部を前記下側本体部に設置したときに、第２水収容部から前記第１水収容部への水の移動を許容する開閉弁と、
前記水蒸気発生部により発生した水蒸気を第１開口部へ向けて案内する第１案内通路と、
前記二酸化塩素発生源により発生した二酸化塩素ガスを第２開口部へ案内する第２案内通路と、
を備えたことを特徴とする除菌機能を有する加湿器。
【請求項２】
前記上側本体部は平面視で略矩形であり、その両端部に前記第１案内通路と第２案内通路を配置し、これらの間に前記開閉弁を配置したことを特徴とする請求項１に記載の除菌機能を有する加湿器。
【請求項３】
前記上側本体部の底面に第２水収容部に水を入れるための開閉蓋を設け、この開閉蓋に前記開閉弁を設けたことを特徴とする請求項１又は２に記載の除菌機能を有する加湿器。
【請求項４】
水蒸気及び／又は二酸化塩素の発生を選択する選択部を備えたことを特徴とする請求項１〜３のいずれか１項に記載の除菌機能を有する加湿器。
【請求項５】
二酸化塩素発生源を収容するカートリッジと、
カートリッジを保持するカートリッジ保持体と、を備え、
前記装着部にカートリッジ保持体を装着したときに、カートリッジ保持体の一部が、装着部を閉鎖する蓋として機能することを特徴とする請求項１〜４のいずれか１項に記載の除菌機能を有する加湿器。
【考案の詳細な説明】
【技術分野】
【０００１】
本考案は、二酸化塩素発生源を着脱自在に装着可能な装着部と、水を収容する第１水収容部と、水から水蒸気を発生させる水蒸気発生部とを備えた下側本体部と、この下側本体部の上部に着脱自在に設置される上側本体部と、を備えた除菌機能を有する加湿器に関する。
【背景技術】
【０００２】
給水タンクに貯留された水を霧化して、空気と共に噴霧して加湿を行なう加湿器としては、例えば、下記特許文献１に開示されている。
【０００３】
特許出願１には、給水タンクとしての水槽を備え、振動子によって水槽内の水に超音波を伝えることにより霧を発生させ、送風機により水槽内に導入された空気流によって霧を噴き出し口から外部に放出する超音波加湿器が記載されている。この超音波加湿器は、水槽の下壁に振動子が取り付けられ、振動子は水槽の側壁に取り付けられた発振器と配線により接続されている。
【０００４】
一方、二酸化塩素を発生させる装置が、下記特許文献２に開示されている。この装置は、装置は、その内部に、紫外線を発生させる紫外線照射部、及び、カートリッジを備えており、当該装置は、その外壁に、装置の内部と外部をエアが移動できるように、エア供給排出部を備えており、カートリッジの内部に存在する薬剤が紫外線を照射されることにより、二酸化塩素ガスを発生し、二酸化塩素ガスが、エア供給排出部を介して装置の外部に放出される。これにより、空気中の浮遊ウィルスや浮遊細菌を除去する効果がある。
【先行技術文献】
【特許文献】
【０００５】
【特許文献１】特開２００６−１２５６４８号公報
【特許文献２】特許５６８８４０７号
【考案の概要】
【考案が解決しようとする課題】
【０００６】
上記のように、水蒸気を発生する場合は加湿器が必要であり、二酸化塩素を発生させる場合は、そのための装置が必要である。従って、両方必要な場合は、それぞれの装置を購入する必要があり、設置場所もその分大きくなるという問題があった。
【０００７】
本考案は上記実情に鑑みてなされたものであり、その課題は、水蒸気と二酸化塩素の両方を発生させることができる除菌機能を有する加湿器を提供することである。
【課題を解決するための手段】
【０００８】
上記課題を解決するため本発明に係る除菌機能を有する加湿器は、
二酸化塩素発生源を着脱自在に装着可能な装着部と、水を収容する第１水収容部と、水から水蒸気を発生させる水蒸気発生部とを備えた下側本体部と、この下側本体部の上部に着脱自在に設置される上側本体部と、を備え、
この上側本体部には、水を収容する第２収容部と、上側本体部を前記下側本体部に設置したときに、第２水収容部から前記第１水収容部への水の移動を許容する開閉弁と、前記水蒸気発生部により発生した水蒸気を第１開口部へ向けて案内する第１案内通路と、前記二酸化塩素発生源により発生した二酸化塩素ガスを第２開口部へ案内する第２案内通路と、を備えたことを特徴とするものである。
【０００９】
かかる構成による除菌機能を有する加湿器の作用・効果を説明する。この加湿器は、下側本体部と上側本体部を有する。上側本体部は下側本体部に対して着脱自在に設置される。下側本体部には、第１水収容部と、水蒸気発生部と、二酸化塩素発生源が設けられている。上側本体部には、第２水収容部が設けられており、上側本体部を下側本体部に設置したときに、第２水収容部の水が開閉弁を介して第１水収容部に移動する。上側本体部を下側本体部に設置しない時は、開閉弁が閉じているので水が漏れることがない。水蒸気発生部により発生した水蒸気は、上側本体部の第１案内通路を経由して第１開口部から空中へと放出される。二酸化塩素発生源において発生した二酸化塩素は、上側本体部の第２案内通路を経由して第２開口部から空中へと放出される。これにより、水蒸気と二酸化塩素の両方を発生させることができる除菌機能を有する加湿器を提供することができる。
【００１０】
本考案において、前記上側本体部は平面視で略矩形であり、その両端部に前記第１案内通路と第２案内通路を配置し、これらの間に前記開閉弁を配置したことが好ましい。
【００１１】
矩形形状の長手方向に沿って、第１案内通路、開閉弁、第２案内通路と配置することで、必要な機能を効率よく配置することができる。
【００１２】
本考案において、前記上側本体部の底面に第２水収容部に水を入れるための開閉蓋を設け、この開閉蓋に前記開閉弁を設けたことが好ましい。
【００１３】
かかる構成により、上側本体部の底面側から第２水収容部に水を入れることができる。底面に開閉蓋を設けているので、外観品質を損なわないように開閉蓋を設けることができる。また、開閉蓋に開閉弁を設けることで、取り外し可能な開閉蓋に開閉弁を一体的に取り付けユニット化することができる。これにより、開閉弁の取り付けや組立時の取り扱いを容易にすることができる。
【００１４】
本考案において、水蒸気及び／又は二酸化塩素の発生を選択する選択部を備えたことが好ましい。これにより、ユーザーは、必要な機能のみを選択することができ利便性が向上する。
【００１５】
本考案において、二酸化塩素発生源を収容するカートリッジと、カートリッジを保持するカートリッジ保持体と、を備え、前記装着部にカートリッジ保持体を装着したときに、カートリッジ保持体の一部が、装着部を閉鎖する蓋として機能することが好ましい。
【００１６】
カートリッジを保持するカートリッジ保持体を設けることで、カートリッジの装着部への装着を容易に行うことができる。カートリッジ保持体の一部が蓋として機能することで、部品点数を削減できると共に、取り扱いを容易にすることができる。
【図面の簡単な説明】
【００１７】
【図１】本実施形態に係る加湿器の外観斜視図
【図２】図１の加湿器の正面図
【図３】図１の加湿器の側面図
【図４】下側本体部の外観を示す斜視図
【図５】上側本体部の底面を示す斜視図
【図６】図１の加湿器の中央縦断面図
【図７】カートリッジの構成を示す図
【図８】図１の加湿器の中央縦断面図（装着部）
【図９】加湿器の制御部の構成を示す模式図
【考案を実施するための形態】
【００１８】
本考案に係る除菌機能を有する加湿器の好適な実施形態を図面を用いて説明する。図１は、加湿器の外観斜視図、図２は、加湿器の正面図、図３は加湿器の側面図である。
【００１９】
本考案に係る加湿器は、水蒸気を発生する機能と、二酸化塩素ガスを発生する機能を有する。加湿器は、下側本体部１と上側本体部２を有しており、上側本体部２は下側本体部１の上に着脱自在に設置される。下側本体部１も上側本体部２も略直方体の形状を有している。図４は、上側本体部２を外した状態の下側本体部１の外観を示す斜視図である。
【００２０】
図４に示すように、下側本体部１の上部には第１水収容部１０が設けられており、所定量の水を収容することができる。第１水収容部１０は、平面視で横長の矩形形状を有する。第１水収容部１０の左右長手方向の左端部に、水蒸気発生部１１が設けられている。水蒸気発生部１１には、超音波振動子１１ａが設けられており、超音波の振動により第１水収容部１０内の水を霧化させることができる。第１水収容部１０内の水位を測定する水位センサー１１ｂを設けており、一定の水位より低くなった場合には、自動的に超音波振動子１１ａの振動を停止させる。なお、水蒸気を発生させる機構については公知であり、例えば、実用新案登録第３１４４１２７号に開示される構成をそのまま用いることができる。
【００２１】
弁開放突起１２は、後述の開閉弁に対して作用し、開閉弁の開閉を制御する機能を有する。第１水収容部１０の右端部にはガス通路１３が設けられており、二酸化塩素ガスが通過するための孔１３ａが複数形成されている。なお、このガス通路１３は、第１水収容部１０に対して遮蔽された状態にある。
【００２２】
下側本体部１の正面には、第１操作スイッチ１４ａ、第２操作スイッチ１４ｂ、第３操作スイッチ１４ｃからなる操作部１４（選択部に相当）が設けられている。第１操作スイッチ１４ａを押すと水蒸気のみが発生する。第２操作スイッチ１４ｂを押すと二酸化塩素ガスのみが発生する。第３操作スイッチ１４ｃを押すと水蒸気と二酸化塩素ガスの両方が発生する。これら各スイッチと合わせて適宜表示ランプを設けてもよい。
【００２３】
下側本体部１の側面には、二酸化塩素ガスを発生させるための発生源を装着するための装着部が設けられる。側面には蓋１５が設けられており、この蓋１５を外すことで、二酸化塩素発生源の着脱を行うことができる。蓋１５の左右両側には操作凹部１５ａが設けられている。この操作凹部１５ａに指を入れることで、蓋１５を取り出すことができる。装着部の詳細については後述する。
【００２４】
上側本体部２は、その内部に、水蒸気を上方に通過させる第１案内通路２０と、二酸化塩素ガスを上方に案内させる第２案内通路２１と、水を収容する第２水収容部２２とを備えている。第１・第２案内通路２０，２１は、第２水収容部２２とは完全に区切られた閉鎖空間となっている。第１案内通路２０の上端部は第１開口部２０ａであり、ここから空中に向けて水蒸気が放出される。第２案内通路２１の上端部は第２開口部２１ａであり、ここから空中に向けて二酸化塩素ガスが放出される。上側本体部２は、透明樹脂により成型することができ、これにより、第２水収容部２２の水の量を観察することができる。
【００２５】
図５は、上側本体部２を底面側から見た斜視図である。底面には、第２水収容部２２に水を収容するための開閉蓋２３が設けられている。開閉蓋２３はネジにより上側本体部２の底面に螺合されるように構成される。第２水収容部２２に水を入れるときは、上側本体部２を逆さまにして開閉蓋２３を開けて、底面に設けられた開口部から水を入れることができる。上側本体部２を下側本体部１に設置したときは、開閉蓋２３は外観から見えないので、外観品質を損ねることなく開閉蓋２３を配置することができる。
【００２６】
開閉蓋２３の外周側面には操作部２３ａが設けられており、操作しやすいように突起が形成されている。開閉蓋２３の中央には開閉弁２４が設けられている。開閉弁２４の周囲は水通路２３ｂが設けられている。開閉弁２４は、第２水収容部２２側に位置する傘部２４ａと、第１水収容部１０側に位置する作用部２４ｂと、付勢バネ２４ｃを備えている。付勢バネ２４ｃは、圧縮コイルスプリングにより構成され、開閉弁２４全体を下方に付勢する。このとき、傘部２４ａが開閉蓋２３の表面に密着するため、第２水収容部２２内の水は水通路２３ｂから漏れることがない。なお、傘部２４ａはシリコン等の弾性体により形成される。
【００２７】
上側本体部２を下側本体部１の上に設置すると、前述の弁開放突起１２が開閉弁２４の作用部２４ｂを上に押し上げる。これにより、付勢バネ２４ｃの付勢力に抗して、傘部２４ａと開閉蓋２３の密着状態が解除され、傘部２４ａが上方に移動する。その結果、水通路２３ｂが開放されて、第２水収容部２２から第１水収容部１０への水の移動が可能になる。
【００２８】
図６は、中央縦断面図を示す。第１案内通路２０内には、筒状部材２５を着脱自在に挿入することができる。筒状部材２５には開孔２５ａが形成され、ここから水蒸気が空中に放出される。また、筒状部材２５は、大きな水滴が出ていかないように規制する機構（不図示）も内部に設けられている。
【００２９】
＜二酸化塩素発生源＞
図７に示すように、二酸化塩素発生源４と、この二酸化塩素発生源４を収容するカートリッジ４０と、カートリッジ４０を保持する保持体４１を備えている。二酸化塩素発生源４は、下側本体部１の装着部４Ｓに対して着脱自在に装着することができる（図６も参照）。保持体４１は、装着部を開閉する蓋１５としても機能する。
【００３０】
カートリッジ４０は、その内部に、二酸化塩素発生源４としての固形の亜塩素酸塩を含む薬剤を有しており、前記薬剤（例えば、登録商標クレベリン）は、粉状または粒状の無機物質をさらに含んでおり、前記無機物質は、多孔質である無機物質及び／又は潮解性の無機物質である。カートリッジ４０は、カートリッジ４０の外部のエアが、カートリッジ４０内部に存在する薬剤と接触することができる構造を備えている。カートリッジ４０は、紫外線照射部４４（図８参照）から発生した紫外線が、カートリッジ４０内部に存在する薬剤に照射されるように紫外線を透過させる構造を備えている。カートリッジ４０の内部に存在する薬剤が紫外線を照射されることにより、二酸化塩素ガスを発生し、二酸化塩素ガスが、第２案内通路２１を介して第２開口部２１ａから空中に放出される。このような二酸化塩素ガスを発生させる原理に関しては、特許第５６８８４０７号に開示されている技術をそのまま応用することができる。
【００３１】
なお、カートリッジ４０のケースは透明樹脂であり、紫外線が薬剤に照射できるようにしている。またケースの外周面４０ａは、不織布により形成されており、発生した二酸化塩素ガスが通過できるようになっている。
【００３２】
図６に示すように、装着部４Ｓの斜め下方にファン４２が設けられており、開口部４２ａがカートリッジ４０の方向に向いている。このファン４２により、二酸化塩素ガスを第２案内通路２１に方向に導く。また、装着部４Ｓに隣接して検出スイッチ４３が設けられており、カートリッジ４０の装着を検出する。保持体４１の突起４１ａにより検出スイッチ４３を押すことで、カートリッジ４０の装着が検知される。
【００３３】
図８は、装着部４Ｓの構成を示す断面図であり、図６とは切断方向が９０゜異なっている。操作部４Ｓの左右両側に、紫外線発生部４４が設けられている。ここから紫外線がカートリッジ４０内の二酸化塩素発生源４に向けて照射される。
【００３４】
＜制御部＞
図９は、本実施形態に係る加湿器の制御部の構成を示す模式図である。制御部５は、コンピュータの機能により実現される。操作部１４からの操作に伴い、水蒸気のみを発生するか、二酸化塩素ガスのみを発生させるか、水蒸気と二酸化塩素ガスの両方を発生させるか、３つのモードの中から１つを選択することができる。
【００３５】
水位センサー１１ｂにより水が所定レベルよりも少ないと判断された場合、水蒸気発生部１１（超音波振動子１１ａ、ファン１１ｃ）の動作を停止させる。検出スイッチ４３によりカートリッジ４０の装着を検知すると、二酸化塩素ガス発生部６の動作を可能にする。なお、カートリッジ４０の装着を検知できない場合は、その旨の警告表示（例えば、ＬＥＤランプ）を行うことが好ましい。
【００３６】
＜使用方法＞
本実施形態に係る加湿器の使用方法について簡単に説明する。まず、第２水収容部２２に水を収容する必要がある。図５に示すように、上側本体部２を取り外して、底面の開閉蓋２３をあける。ここから第２水収容部２２に水を入れて開閉蓋２３を閉じる。このとき、開閉弁２４は閉じた状態であるから、水が漏れだすことはない。
【００３７】
つぎに、上側本体部２を下側本体部１の上に設置する。これにより、下側本体部１の弁解放突起１２（図４参照）が開閉弁２４の作用部２４ｂを上に押し上げる。これにより、開閉弁２４が開いた状態に移行し、第２水収容部２２の水は第１水収容部１０へと移動する。水は、水蒸気発生部１１の方にも移動し、水位センサー１１ｂにより水位を検知する。これにより、水蒸気の発生が可能な状態になる。
【００３８】
操作部１４のスイッチのうち任意のものを押す。例えば、第３操作スイッチ１４ｃを押す。これにより、水蒸気発生部１１と二酸化塩素ガス発生部６が動作を開始する。すなわち、超音波振動子１１ａとファン１１ｃを駆動し、第１開口部２０ａから水蒸気が放出される。また、紫外線発生部４４とファン４２が駆動され、紫外線を開示４０内の薬剤に照射し、第２開口部２１ａから二酸化塩素ガスが放出される。
【００３９】
＜別実施形態＞
本考案において、第１・第２案内通路２０，２１の配置は、本実施形態以外の構成も考えられる。例えば、第１案内通路２０と第２案内通路２１の配置を入れ替えてもよい。あるいは、並べて配置してもよい。
【００４０】
第２水収容部２２への水の収納は、上側本体部２の底面からではなく、上面から行えるようにしてもよい。
【符号の説明】
【００４１】
１        下側本体部
１０      第１水収容部
１１      水蒸気発生部
１２      弁開放突起
１３      ガス通路
１４      操作部
２        上側本体部
２０      第１案内通路
２０ａ    第１開口部
２１      第２案内通路
２１ａ    第２開口部
２２      第２水収容部
２３      開閉蓋
２４      開閉弁
２４ａ    傘部
２４ｂ    作用部
４        二酸化塩素発生源
４Ｓ      装着部
４０      カートリッジ
４１      保持体
４２      ファン
４３      検出スイッチ
４４      紫外線発生部
５        制御部
６        二酸化塩素ガス発生部
【図１】
0003202226.tif 000003
【図２】
0003202226.tif 000004
【図３】
0003202226.tif 000005
【図４】
0003202226.tif 000006
【図５】
0003202226.tif 000007
【図６】
0003202226.tif 000008
【図７】
0003202226.tif 000009
【図８】
0003202226.tif 000010
【図９】
0003202226.tif 000011